(57)【要約】
【課題】  手袋自体に収納部分を形成して、小さな物はそのまま収納して保持できる作業用手袋を提供するものである。
【解決手段】  軟質のゴム２で形成された手袋本体３の手の平側４に、同様に軟質のゴム２で形成され、上部を開口した筒状の収納袋５の上部を一体に接合して、収納袋５を吊り下げるようにしたもので、この人指し指部分に指装着式切断器８を取付けて、開放した切断刃１０と受刃部１２との間にインゲン９の花柄１５を挟んで切断すると、この下方の手の平側４に一体に取付けた筒状の収納袋５に落下して収納されるようになっている。
【選択図】  図２
0003100738.tif 000002
【実用新案登録請求の範囲】
【請求項１】
軟質のゴムまたはプラスチックで形成された手袋本体の手の平側に、上部が開口した収納袋を一体に形成したことを特徴とする作業用手袋。
【請求項２】
上部が開口した収納袋の上部を、手袋本体の手の平側に接合して、収納袋を吊り下げるようにしたことを特徴とする請求項１記載の作業用手袋。
【考案の詳細な説明】
【技術分野】
【０００１】
本考案は、収納袋を一体に設けた作業用手袋に関するものである。
【背景技術】
【０００２】
一般に作業を行なう時に手袋をして行なうことが多い。この手袋には、綿で編んだ軍手や軟質のゴムやプラスチックで形成されたものがある（例えば特許文献１）。何れの場合も、手袋は単に手を保護したりつかむ対象物を汚さないために使用するものである。
【０００３】
このため、手袋をして手でつかんだ物を容器に入れたり、つかんだゴミなどを捨てる場合その度に、容器や袋などに入れる必要があった。
【特許文献１】実公平６ー３８０８４
【考案の開示】
【考案が解決しようとする課題】
【０００４】
本考案は上記問題を改善し、手袋自体に収納部分を形成して、小さな物はそのまま収納して保持できる作業用手袋を提供するものである。
【課題を解決するための手段】
【０００５】
本考案の請求項１記載の作業用手袋は、軟質のゴムまたはプラスチックで形成された手袋本体の手の平側に、上部が開口した収納袋を一体に形成したことを特徴とするものである。
【０００６】
本考案の請求項２記載の作業用手袋は、上部が開口した収納袋の上部を、手袋本体の手の平側に接合して、収納袋を吊り下げるようにしたことを特徴とするものである。
【考案の効果】
【０００７】
本考案に係る請求項１記載の作業用手袋によれば、軟質のゴムまたはプラスチックで形成された手袋本体の手の平側に、上部が開口した収納袋を一体に形成したのでこの収納袋内に収納することができる。
【０００８】
また請求項２記載の作業用手袋によれば、上部が開口した収納袋の上部を、手袋本体の手の平側に接合して、収納袋を吊り下げるようにしたので、手の向きに拘らず収穫した作物をそのまま落下させて収納袋内に収納することができる。
【考案を実施するための最良の形態】
【０００９】
本考案は、農産物の収穫用に好適な作業用手袋を実現した。
【実施例１】
【００１０】
以下本考案の実施例を図１および図２を参照して詳細に説明する。図において１は作業用手袋を示すもので、これは軟質のゴム２で形成された手袋本体３の手の平側４に、同様に軟質のゴム２で形成され、上部を開口した筒状の収納袋５の上部を一体に接合して、収納袋５を吊り下げるようにしたものである。
【００１１】
上記構成の作業用手袋１を使用して、図２に示すように人指し指部分に指装着式切断器８を取付けてインゲン９を収穫する場合について説明する。この指装着式切断器８は、切断刃１０を取付けた刃支持部１１と、前記切断刃１０が挿入される受刃部１２とを軸１３で回動自在に連結すると共に、刃支持部１１と受刃部１２を常時開放するようにバネ材で弾性的に支持し、前記受刃部１２の背面側にリング状の指装着部１４を設け、この指装着部１４に作業用手袋１の人指し指部分を通して支持するようにしたものである。
【００１２】
このように指装着式切断器８を作業用手袋１の人指し指部分に取付けた状態で、、開放した切断刃１０と受刃部１２との間にインゲン９の花柄１５を位置させて、親指で刃支持部１１を押すと、切断刃１０が回動して受刃部１２の受け溝に挿入されて花柄１５が切断されると同時に、この下方の手の平側４に取付けた筒状の収納袋５に落下して収納される。
【００１３】
花柄１５を切断して親指を開くと、バネの弾性により自動的に復帰して切断刃１０と受刃部１２との間が開放した状態となり、以後同様の操作を繰り返すことによりインゲン９を収穫して収納袋５の中に貯めることができる。筒状の収納袋５は吊り下げた状態になっているので常に開口部が上方を向き、収穫した作物をそのまま落下させて収納袋内に収納することができる。収納袋５がいっぱいになったら、容器の上で収納袋５を逆さまにすることにより排出することができる。このため収穫したインゲン９を１本ずつ容器に入れる必要がなく作業性を大幅に向上させることができる。
【実施例２】
【００１４】
図３は本考案の他の実施例を示すもので、この作業用手袋１は軟質のゴム２で形成された手袋本体３の下部側に、同様に軟質のゴム２で形成され、上部を開口した円筒体７を一体に接合して、手の平側４に筒状の収納袋５を形成したものである。
【実施例３】
【００１５】
図４および図５は本考案の他の実施例を示すもので、この作業用手袋１６はポリエチレンなどの軟質の透明なプラスチック１７で形成された手袋本体３の手の平側４と手の甲側６を二重にして、上部が開口した収納袋１８を一体に形成したものである。これは、１枚の透明なプラスチック１７で形成された手袋本体３の上から、人さし指と中指、薬指部分を除去した別の透明なプラスチック１７の手袋を被せて二重に形成したものである。
【００１６】
この作業用手袋１６は洗面台や風呂場などの水回りを掃除する時などに、小さなゴミをつかんで収納袋１８に入れることにより、作業が容易で、終わったら作業用手袋１６を外して収納袋１８にゴミを入れたまま捨てることができる。またこの作業用手袋１６は表裏にすることにより左右どちらの手にも嵌めて使用することができる。
【産業上の利用可能性】
【００１７】
なお上記説明では農作業の収穫や掃除を行なう場合について説明したが、食器を洗う場合などに、予め収納袋にスポンジなど挟んで洗うと便利である。
【図面の簡単な説明】
【００１８】
【図１】本考案の実施例による収納袋を吊り下げた作業用手袋を示す斜視図である。
【図２】図１の作業用手袋をしてここに指装着式切断器を取付けてインゲンを収穫している状態を示す斜視図である。
【図３】本考案の他の実施例による収納袋を一体に形成した作業用手袋を示す斜視図である。
【図４】本考案の他の実施例による透明なプラスチックで形成された手袋本体の手の平と甲側を二重にして収納袋を一体に形成した作業用手袋の正面図である。
【図５】図４の断面図である。
【符号の説明】
【００１９】
１    作業用手袋                                            
２    軟質のゴム                                            
３    手袋本体                                              
４    手の平側                                              
５    筒状の収納袋                                          
６    手の甲側  
７    円筒体
８    指装着式切断器                                        
９    インゲン                                              
１０  切断刃                                                
１１  刃支持部                                              
１２  受刃部                                                
１３  軸                                                    
１５  花柄                                                  
１６  作業用手袋                                            
１７  軟質のプラスチック                                    
１８  収納袋                                                
【図１】
0003100738.tif 000003
【図２】
0003100738.tif 000004
【図３】
0003100738.tif 000005
【図４】
0003100738.tif 000006
【図５】
0003100738.tif 000007